(57)【特許請求の範囲】
【請求項１】
互いに隣接した複数の画像表示領域を含むインデックス画像表示領域であって，インデックス画像表示領域の中央に位置する一の画像表示領域と上記一の画像表示領域から離れるにしたがって画像表示領域の大きさがインデックス画像表示領域の長手方向に応じて小さくなる他の画像表示領域とを含むインデックス画像表示領域と，インデックス画像表示領域の長手方向の長さと同一の長さの一辺をもつメイン画像表示領域の上記一辺と，が接するようにインデックス画像表示領域とメイン画像表示領域とを表示するように表示装置を制御する第１の表示制御手段，
記録媒体に記録されている複数駒分の画像データを読み取る画像データ読み取り手段，
上記メイン画像表示領域に表示する画像を選択する選択手段，および
上記画像データ読み取り手段によって読み取られた複数駒分の画像データによって表わされる複数駒の画像のうち，上記選択手段によって選択された画像がメイン画像表示領域および一の画像表示領域に表示され，かつ上記選択手段によって選択された画像を除くそれぞれの画像の両側の部分が表示されずに中央部分である一部がインデックス画像表示領域の対応する他の画像表示領域に表示されるように上記表示装置を制御する第２の表示制御手段，
を備えたディジタル・カメラのインデックス画像表示制御装置。
【請求項２】
上記記録媒体には複数駒分のサムネイル画像データが記録されており，
上記画像データ読み取り手段は，上記記録媒体に記録されているサムネイル画像データを読み取るものであり，
上記第２の表示制御手段は，上記画像データ読み取り手段によって読み取られた複数駒分のサムネイル画像データによって表わされる複数駒のサムネイル画像のうち，上記選択手段によって選択されたサムネイル画像が一の画像表示領域に表示され，上記選択手段によって選択されたサムネイル画像に対応する画像がメイン表示領域に表示され，かつ上記選択手段によって選択されたサムネイル画像を除くそれぞれのサムネイル画像の中央部分である一部がインデックス画像表示領域の対応する他の画像表示領域に表示されるように上記表示装置を制御するものである，
請求項１に記載のディジタル・カメラのインデックス画像表示制御装置。
【請求項３】
第１の表示制御手段が，互いに隣接した複数の画像表示領域を含むインデックス画像表示領域であって，インデックス画像表示領域の中央に位置する一の画像表示領域と上記一の画像表示領域から離れるにしたがって画像表示領域の大きさがインデックス画像表示領域の長手方向に応じて小さくなる他の画像表示領域とを含むインデックス画像表示領域と，インデックス画像表示領域の長手方向の長さと同一の長さの一辺をもつメイン画像表示領域の上記一辺と，が接するようにインデックス画像表示領域とメイン画像表示領域とを表示するように表示装置を制御し，
画像データ読み取り手段が，記録媒体に記録されている複数駒分の画像データを読み取り，
選択手段が，上記メイン画像表示領域に表示する画像を選択し，
第２の表示制御手段が，上記画像データ読み取り手段によって読み取られた複数駒分の画像データによって表わされる複数駒の画像のうち，上記選択手段によって選択された画像がメイン画像表示領域および一の画像表示領域に表示され，かつ上記選択手段によって選択された画像を除くそれぞれの画像の両側の部分が表示されずに中央部分である一部がインデックス画像表示領域の対応する他の画像表示領域に表示されるように上記表示装置を制御する，
ディジタル・カメラのインデックス画像表示制御装置の制御方法。
【請求項４】
互いに隣接した複数の画像表示領域を含むインデックス画像表示領域であって，インデックス画像表示領域の中央に位置する一の画像表示領域と上記一の画像表示領域から離れるにしたがって画像表示領域の大きさがインデックス画像表示領域の長手方向に応じて小さくなる他の画像表示領域とを含むインデックス画像表示領域と，インデックス画像表示領域の長手方向の長さと同一の長さの一辺をもつメイン画像表示領域の上記一辺と，が接するようにインデックス画像表示領域とメイン画像表示領域とを表示するように表示装置を制御させ，
記録媒体に記録されている複数駒分の画像データを読み取らせ，
上記メイン画像表示領域に表示する画像を選択させ，
記録媒体から読み取られた複数駒分の画像データによって表わされる複数駒の画像のうち，選択された画像がメイン画像表示領域および一の画像表示領域に表示され，かつ選択された画像を除くそれぞれの画像の両側の部分が表示されずに中央部分である一部がインデックス画像表示領域の対応する他の画像表示領域に表示されるように上記表示装置を制御するディジタル・カメラのインデックス画像表示制御装置のプログラム。
【発明の詳細な説明】
【技術分野】
【０００１】
この発明は，ディジタル・カメラのインデックス画像表示制御装置ならびにその制御方法およびその制御プログラムに関する。
【背景技術】
【０００２】
パーソナル・コンピュータにおいては，ハードディスクに記録されている複数駒の画像を表す画像データを読み取り，その画像データによって表される画像の縮小画像を一覧で表示することができる。所望の縮小画像が見つかると，その縮小画像がクリックされる。すると，対応する画像が縮小画像に比べて拡大されて表示される。
【０００３】
縮小画像の一覧表示は，パーソナル・コンピュータだけでなく，ディジタル・スチル・カメラにおいても可能である。ディジタル・スチル・カメラの背面に設けられている液晶表示画面に縮小画像が一覧で表示される。
【０００４】
しかしながら，とくに，ディジタル・スチル・カメラは小型化が要求されていることから液晶表示画面の大きさが小さい。一覧表示できる画像の駒数が少ない。
【発明の開示】
【０００５】
この発明は，比較的多くの画像を表示できるようにすることを目的とする。
【０００６】
この発明によるディジタル・カメラのインデックス画像表示制御装置は，互いに隣接した複数の画像表示領域を含むインデックス画像表示領域であって，インデックス画像表示領域の中央に位置する一の画像表示領域と上記一の画像表示領域から離れるにしたがって画像表示領域の大きさがインデックス画像表示領域の長手方向に応じて小さくなる他の画像表示領域とを含むインデックス画像表示領域と，インデックス画像表示領域の長手方向の長さと同一の長さの一辺をもつメイン画像表示領域の上記一辺と，が接するようにインデックス画像表示領域とメイン画像表示領域とを表示するように表示装置を制御する第１の表示制御手段，記録媒体に記録されている複数駒分の画像データを読み取る画像データ読み取り手段，上記メイン表示領域に表示する画像を選択する選択手段，および上記画像データ読み取り手段によって読み取られた複数駒分の画像データによって表わされる複数駒の画像のうち，上記選択手段によって選択された画像がメイン表示領域および一の画像表示領域に表示され，かつ上記選択手段によって選択された画像を除くそれぞれの画像の一部がインデックス画像表示領域の対応する他の画像表示領域に表示されるように上記表示装置を制御する第２の表示制御手段を備えていることを特徴とする。
【０００７】
この発明は，上記ディジタル・カメラのインデックス画像表示制御装置に適した制御方法も提供している。すなわち，この方法は，第１の表示制御手段が，互いに隣接した複数の画像表示領域を含むインデックス画像表示領域であって，インデックス画像表示領域の中央に位置する一の画像表示領域と上記一の画像表示領域から離れるにしたがって画像表示領域の大きさがインデックス画像表示領域の長手方向に応じて小さくなる他の画像表示領域とを含むインデックス画像表示領域と，インデックス画像表示領域の長手方向の長さと同一の長さの一辺をもつメイン画像表示領域の上記一辺と，が接するようにインデックス画像表示領域とメイン画像表示領域とを表示するように表示装置を制御し，画像データ読み取り手段が，記録媒体に記録されている複数駒分の画像データを読み取り，選択手段が，上記メイン表示領域に表示する画像を選択し，第２の表示制御手段が，上記画像データ読み取り手段によって読み取られた複数駒分の画像データによって表わされる複数駒の画像のうち，上記選択手段によって選択された画像がメイン表示領域および一の画像表示領域に表示され，かつ上記選択手段によって選択された画像を除くそれぞれの画像の一部がインデックス画像表示領域の対応する他の画像表示領域に表示されるように上記表示装置を制御するものである。
【０００８】
この発明は，上記ディジタル・カメラのインデックス画像表示制御装置を制御するプログラムも提供している。
【０００９】
この発明によると，インデックス画像表示領域には，複数の画像表示領域が含まれている。複数の画像表示領域は，中央に位置する一の画像表示領域と他の画像表示領域とから構成されている。他の画像表示領域は，一の画像表示領域から離れるにしたがって小さくなる。インデックス画像表示領域の長手方向の長さと同一の長さの一辺をもつメイン画像表示領域が規定され，メイン画像表示領域のその一辺とインデックス画像表示領域とが接するように，インデックス画像表示領域およびメイン画像表示領域が表示される。記録媒体から読み取られた画像データによって表わされる複数駒の画像の中からメイン表示領域に表示する画像が選択される。選択された画像がメイン表示領域および一の画像表示領域に表示される。選択された画像を除く画像の一部が他の画像表示領域に表示される。
【００１０】
インデックス画像表示領域には多数駒の画像が表示されることとなる。とくに，インデックス画像表示領域を構成する他の画像表示領域は，一の画像表示領域から離れるにしたがって小さくなっているから，多くの他の画像表示領域を規定でき，多くの画像を他の画像表示領域に表示させることができる。また，インデックス画像表示領域の長手方向の長さの一辺をもつようにメイン画像表示領域が規定され，かつインデックス画像表示領域とメイン画像表示領域のその一辺とが接するようにインデックス画像表示領域とメイン画像表示領域とが表示されるように表示装置が制御されるから，隙間無く表示領域をつめて規定でき，より多くの画像を表示装置の表示画面に表示させることができる。さらに，インデックス画像表示領域の中央に位置する一の画像表示領域に表示される画像に対応する画像がメイン画像表示領域に表示されるから，一の画像表示領域に表示される画像を比較的大きな領域をもつメイン画像表示領域で確認できる。
【００１１】
上記それぞれの画像の一部は，たとえば，画像の中央部分である。
【００１２】
上記第２の表示制御手段は，たとえば，上記インデックス画像表示領域を構成する複数の画像表示領域のうち，上記一の画像表示領域から遠い画像表示領域から順に画像の端部を表示するように上記表示装置を制御するものである。
【００１３】
上記記録媒体には複数駒分のサムネイル画像データが記録されていてもよい。この場合，上記画像データ読み取り手段は，上記記録媒体に記録されているサムネイル画像データを読み取るものとなろう。また，上記第２の表示制御手段は，上記画像データ読み取り手段によって読み取られた複数駒分のサムネイル画像データによって表わされる複数駒のサムネイル画像のうち，上記選択手段によって選択されたサムネイル画像が一の画像表示領域に表示され，上記選択手段によって選択されたサムネイル画像に対応する画像がメイン表示領域に表示され，かつ上記選択手段によって選択されたサムネイル画像を除くそれぞれのサムネイル画像の一部がインデックス画像表示領域の対応する他の画像表示領域に表示されるように上記表示装置を制御するものとなろう。
【実施例】
【００１４】
図１は，この発明の実施例を示すもので，ディジタル・スチル・カメラの電気的構成を示すブロック図である。
【００１５】
ディジタル・スチル・カメラの全体の動作は，ＣＰＵ21によって統括される。
【００１６】
ディジタル・スチル・カメラには，静止画撮像モード，再生モードなどの各種モードを設定するためのモード・スイッチ，再生の駒送り指令を与える駒送りボタン，再生の駒戻し指令を与える駒戻しボタンなどを含む操作スイッチ18およびシャッタ・スイッチ19が含まれている。これらの操作スイッチ18およびシャッタ・スイッチ19からの出力信号は，ＣＰＵ21に入力する。
【００１７】
また，ディジタル・スチル・カメラに，駒送り指令，駒戻し指令などを連続して与えることができるジョグ・ダイアル20を設けるようにしてもよい。ジョグ・ダイアル20から出力される回転の程度を示す信号もＣＰＵ21に入力する。
【００１８】
ディジタル・スチル・カメラには，液晶表示装置16が設けられている。液晶表示装置16の表示画面上に被写体を表示することにより，カメラ・アングルなどが決定される。
【００１９】
ディジタル・スチル・カメラは，ストロボ撮影が可能なもので，このストロボ撮影のために，ストロボ発光装置１およびストロボ発光装置１の発光を制御するストロボ駆動回路２が含まれている。
【００２０】
ディジタル・スチル・カメラには，ズーム・レンズ３，絞り５およびシャッタ７が設けられており，これらのズーム・レンズ３，絞り５およびシャッタ７は，レンズ駆動回路４，絞り駆動回路６およびシャッタ駆動回路８によりそれぞれ制御される。さらに，ディジタル・スチル・カメラには，ＣＣＤ駆動回路10によって制御されるＣＣＤ９が含まれている。
【００２１】
撮像モード（静止画撮像モードおよびメモ撮像モード）が設定されると，ＣＣＤ９の受光面上に被写体像が結像し，被写体像を表す映像信号がアナログ信号処理回路11に入力する。アナログ信号処理回路９において，ガンマ補正処理，白バランス調整処理などの所定のアナログ信号処理が行われる。アナログ信号処理回路11から出力された映像信号は，アナログ／ディジタル変換回路12においてディジタル画像データに変換され，ディジタル信号処理回路13に入力する。ディジタル信号処理回路13において輝度データＹならびに色差データＲ−ＹおよびＢ−Ｙの生成などの所定のディジタル信号処理が行われる。ディジタル信号処理回路13から出力された画像データは，メモリ14に与えられ，一時的に記憶される。
【００２２】
画像データは，メモリ14から読み出され，表示用信号処理回路15に入力する。表示用信号処理回路15において，液晶表示装置16に表示されるように画素間引き処理その他の信号処理が行われる。表示用信号処理回路15から出力された画像データが液晶表示装置16に与えられることにより，撮像により得られた画像が液晶表示装置16の表示画面上に表示される。
【００２３】
シャッタ・スイッチ19が押されると，上述のようにしてメモリ14に記憶された画像データは，圧縮／伸張回路17に入力する。圧縮／伸張回路17においてＪＰＥＧ（joint photographic experts group）などのデータ圧縮が行われる。圧縮された画像データがメモリ・カード22に与えられ，記録される。
【００２４】
再生モードが設定されると，メモリ・カード22に記録されている圧縮画像データが読み取られ，圧縮／伸張回路17において伸張される。伸張された画像データがメモリ14に与えられ，一時的に記憶される。メモリ14に記憶された画像データが読み取られ，表示用信号処理回路15に与えられる。液晶表示装置16の表示画面上に，メモリ・カード22に記録されている画像データによって表される画像が表示される。
【００２５】
また，メモリ・カード22には，サムネイル画像データも記録されており，後述するようにサムネイル画像を液晶表示装置16の表示画面に一覧表示することができる。メモリ・カード22にサムネイル画像データが記録されていない場合には，ＣＰＵ21によって生成されることとなろう。
【００２６】
図２は，液晶表示装置16の表示画面を示している。
【００２７】
この実施例においては，モード設定スイッチにより再生モードが設定されると，表示画面30にはメイン画像表示領域31とインデックス画像表示領域（サムネイル画像表示領域列）40とが現れる。
【００２８】
メイン画像表示領域31は，表示画面30のほぼ全体に形成されている。
【００２９】
インデックス画像表示領域40は，表示画面30の下部に形成されている。インデックス画像表示領域40は，多数のサムネイル画像表示領域41から49を有している。サムネイル画像表示領域41から49の高さは等しいが，中央のサムネイル画像表示領域45から横方向に離れるにしたがって幅が狭くなっている。このために，インデックス画像表示領域40を構成するサムネイル画像表示領域のすべてが中央のサムネイル画像表示領域45の大きさと同じである場合に比べて多くの数のサムネイル画像表示領域が含まれることとなる。したがって，多くの駒のサムネイル画像を表示できる。
【００３０】
図３は，インデックス画像表示領域の各画像表示領域とそれらの画像表示領域に表示されるサムネイル画像との関係を示している。
【００３１】
上述したように，インデックス画像表示領域40を構成するサムネイル画像表示領域は，中央のサムネイル画像表示領域45から横方向に離れるにしたがってその幅が狭くなっている。この実施例においては，中央のサムネイル画像表示領域45には，一駒のサムネイル画像ｉ５の全体の画像が表示されるが，中央のサムネイル画像表示領域45から離れるにしたがって，サムネイル画像表示領域に表示される画像の部分が少なくなる。
【００３２】
また，中央のサムネイル画像表示領域45の左側にあるサムネイル画像表示領域41から44においては，サムネイル画像の左端がサムネイル画像表示領域の左端に一致するように画像表示の位置決めが行われる。したがって，サムネイル画像ｉ１からｉ４は，サムネイル画像表示領域41から44の大きさに一致したサムネイル画像部分ａ１からａ４が表示される。サムネイル画像の左側中央のサムネイル画像表示領域45の右側にあるサムネイル画像表示領域46から49においては，サムネイル画像の右端がサムネイル画像表示領域の右端に一致するように画像表示の位置決めが行われる。サムネイル画像ｉ６からｉ９は，サムネイル画像表示領域46から49の大きさに一致したサムネイル画像部分ａ６からａ９が表示される。
【００３３】
図４は，上述したサムネイル画像の部分（または全体）を表示する再生モードの処理手順を示すフローチャートである。図５から図９は，液晶表示装置の表示画面に表示される画像の一例である。
【００３４】
モード設定スイッチにより再生モードが設定されることにより，図４に示す処理が開始される。まず，メイン画像表示領域31に表示される画像がユーザによって操作スイッチ18を用いて選択される（ステップ51）。選択された画像を表す画像データがメモリ・カード22から読み出され，上述したように液晶表示装置16に与えられる。液晶表示装置16の表示画面30に表示されているメイン画像表示領域31に，選択された画像（メイン画像）が表示される（ステップ52）。
【００３５】
メイン画像表示領域31に表示されているメイン画像の前後それぞれ４駒のサムネイル画像ｉ１からｉ４およびｉ６からｉ９をそれぞれ表すサムネイル画像データがメモリ・カード22から読み取られる（ステップ53）。読み取られたサムネイル画像データはメモリ14に与えられ，一時的に記憶される。
【００３６】
読み取られたサムネイル画像データによって表されるサムネイル画像のうち，メイン画像から遠い（駒番号が付されていれば駒番号が離れている）サムネイル画像がインデックス画像表示領域40の両端に表示される（ステップ54）。インデックス画像表示領域40への最初の表示であれば，図７に示すように，サムネイル画像ｉ１およびｉ９がインデックス画像表示領域40の左端および右端にそれぞれ表示される。その後，表示されたサムネイル画像の次にメイン画像に近いサムネイル画像が順番にインデックス画像表示領域40に表示される（ステップ55）。すでに表示されている隣のサムネイル画像上に重ねられるように次のサムネイル画像が表示される。選択されたメイン画像に対応するサムネイル画像がインデックス画像表示領域40に表示されるまで，ステップ55の処理が繰り返される（ステップ56）。
【００３７】
すなわち，図５に示すように表示画面30にサムネイル画像ｉ１およびｉ９が表示されていると，サムネイル画像ｉ１の左側部分が重なるように，次のサムネイル画像ｉ２が表示される。また，サムネイル画像ｉ９に画像の右側部分が重なるように，次のサムネイル画像ｉ８が表示される。同様に，図７に示すように，さらに内側にサムネイル画像ｉ３およびｉ７が表示される。さらに，図８に示すように内側にサムネイル画像ｉ４およびｉ６が表示される。最終的には図９に示すように中央に，選択されたメイン画像に対応するサムネイル画像ｉ５が表示されるようになる。
【００３８】
このようにして，多くの駒のサムネイル画像がインデックス画像表示領域40に表示されるようになる。ディジタル・スチル・カメラのように表示画面30の大きさが小さいものであっても多くの駒のサムネイル画像を表示できるようになる。
【００３９】
駒送りボタンが押されると（ステップ57でＹＥＳ），メイン画像表示領域31に表示されているメイン画像の次の駒の画像がメイン画像表示領域31に表示される。また，インデックス画像表示領域40に表示されている各サムネイル画像がサムネイル画像表示領域１つ分右側にシフトされる（ステップ58）。図９に示す状態において駒送りボタンが押されると，メイン画像表示領域31には，中央のサムネイル画像表示領域45の左側に表示されているサムネイル画像ｉ４に対応する画像が表示されることとなる。また，サムネイル画像表示領域41から49に表示されているサムネイル画像ｉ１からｉ９は，それぞれ１つ右側のサムネイル画像表示領域42から49に表示される。サムネイル画像ｉ９は表示されなくなり，サムネイル画像表示領域41には，サムネイル画像ｉ１の次のサムネイル画像が表示される。
【００４０】
駒戻しボタンが押されると（ステップ57でＮＯ，ステップ59でＹＥＳ），メイン画像表示領域31に表示されているメイン画像の前の駒の画像がメイン画像表示領域31に表示される。また，インデックス画像表示領域40に表示されている各サムネイル画像がサムネイル画像表示領域１つ分左側にシフトされる（ステップ60）。図９に示す状態において駒戻しボタンが押されると，メイン画像表示領域31には，中央のサムネイル画像表示領域45の右側に表示されているサムネイル画像ｉ６に対応する画像が表示されることとなる。また，サムネイル画像表示領域41から49に表示されているサムネイル画像ｉ１からｉ９は，それぞれ１つ左側のサムネイル画像表示領域41から48に表示される。サムネイル画像ｉ１は表示されなくなり，サムネイル画像表示領域49には，サムネイル画像ｉ９の次のサムネイル画像が表示される。
【００４１】
図10から12は，変形例を示している。
【００４２】
図10は，インデックス画像表示領域の各画像表示領域とそれらの画像表示領域に表示されるサムネイル画像との関係を示している。
【００４３】
中央のサムネイル画像表示領域45を除くサムネイル画像表示領域41から44および46から49においては，サムネイル画像の中央部分がサムネイル画像表示領域の中央部分に一致するように画像表示の位置決めが行われる。したがって，サムネイル画像ｉ１からｉ４およびｉ６からｉ９は，それぞれサムネイル画像表示領域41から44および46から49の大きさに一致したサムネイル画像部分ａ11からａ14およびａ16からａ19が表示される。
【００４４】
画像の重要な部分は中央にあると考えられる。この変形においては，サムネイル画像の中央部分が表示されるので，画像のおおよその様子を把握できる。
【００４５】
図11は，上述したサムネイル画像の中央部分（または全体）を表示する再生モードの処理手順を示すフローチャートである。図11において，図４に示す処理と同じ処理については同一符号を付して説明を省略する。図12は，液晶表示装置の表示画面に表示される画像の一例である。
【００４６】
図11に示す処理は図４に示すステップ55および56に示す処理が無いことに加えて，ステップ54に示す処理の代わりにステップ54Ａに示す処理が行われる。
【００４７】
メモリ・カード22からサムネイル画像データが読み取られると（ステップ53），サムネイル画像のうちあらかじめ設定されている中央部分の画像が対応するサムネイル画像表示領域41から49に表示される（ステップ54Ａ）。図12に示すように，インデックス画像表示領域40を構成する各サムネイル画像表示領域41から49には，サムネイル画像ｉ１からｉ９のうち中央の画像部分ａ１からａ９が表示されるようになる。
【００４８】
画像の両側の部分が表示されなくとも中央の画像部分が表示されるので，画像のおおよその様子が分かる。
【００４９】
図13から図15は，他の変形例を示している。
【００５０】
図13は，インデックス画像表示領域の各画像表示領域とそれらの画像表示領域に表示されるサムネイル画像との関係を示している。
【００５１】
中央のサムネイル画像表示領域45を除くサムネイル画像表示領域41から44および46から49に表示されるサムネイル画像ｉ１からｉ４およびｉ６からｉ９が，サムネイル画像表示領域41から44および46から49の横幅と一致するように横方向に縮小されている。この縮小処理は，横方向への間引き処理により実現できる。
【００５２】
サムネイル画像の全体の様子を把握できる。
【００５３】
図14は，上述したサムネイル画像の中央部分（または全体）を表示する再生モードの処理手順を示すフローチャートである。図14において，図４に示す処理と同じ処理については同一符号を付して説明を省略する。図15は，液晶表示装置の表示画面に表示される画像の一例である。
【００５４】
図14に示す処理は図４に示すステップ54から55に示す処理の代わりに，ステップ61および62の処理が行われる。
【００５５】
メモリ・カード22からサムネイル画像データが読み取られると（ステップ53），サムネイル画像ｉ１からｉ４およびｉ６からｉ９の幅が対応するサムネイル画像表示領域41から44および46から49の幅となるように横方向の縮小処理が行われる（ステップ61）。図15に示すように，縮小されたサムネイル画像ｉ１からｉ４およびｉ６からｉ９が対応するサムネイル画像表示領域41から44および46から49に表示される（ステップ62）。中央のサムネイル画像表示領域45には，横方向の縮小処理が行われていないサムネイル画像ｉ５が表示される。
【００５６】
画像の全体が分かるようになる。
【００５７】
図16および図17は，さらに他の変形例を示している。
【００５８】
図16は，表示画面に表示される画像の一例である。
【００５９】
図16を参照して，表示画面30には，中央部分にメイン画像表示領域31Ａが表示されている。このメイン画像表示領域31Ａの下の部分を取り囲むようにインデックス画像表示領域40Ａが表示されている。
【００６０】
インデックス画像表示領域40Ａは，所定の高さをもつ円筒を斜め上方向から見下ろした形状のものである。
【００６１】
インデックス画像表示領域40Ａは，インデックス画像表示領域40Ａを円筒と捉えたときに外周面の手前に複数のサムネイル画像表示領域73から77と，内周面の奥側に複数のサムネイル画像表示領域71，72，78および79が形成されている。これらのサムネイル画像表示領域に，対応するサムネイル画像がｉ１からｉ９が表示される。外周面の手前において，中央のサムネイル画像表示領域75には，メイン画像表示領域31Ａに表示されているメイン画像に対応するサムネイル画像が表示される。
【００６２】
後述するように，駒送り指令または駒戻し指令が与えられることにより，インデックス画像表示領域40Ａの各サムネイル画像表示領域73から77ならびに71，72，78および79に表示されるサムネイル画像が左または右側に隣接するサムネイル画像表示領域に表示されるようになる。
【００６３】
図17は，再生モードの処理手順を示すフローチャートである。この図において，図４に示す処理と同じ処理については同一符号を付して説明を省略する。
【００６４】
図17に示す処理は図４に示すステップ54および55に示す処理の代わりに，ステップ54Ａおよび55Ａの処理が行われる。
【００６５】
メモリ・カード22からサムネイル画像データが読み取られると（ステップ53），メイン画像表示領域31Ａに表示されているメイン画像に対応するサムネイル画像は中央のサムネイル画像表示領域45に表示される。中央のサムネイル画像表示領域75との距離（円周上での距離）に応じて対応するサムネイル画像が変形されるようにサムネイル画像データが処理される（ステップ54Ｂ）。変形されたサムネイル画像が，中央のサムネイル画像表示領域75から遠い順にサムネイル画像表示領域に表示されていく（ステップ55Ｂ）。中央のサムネイル画像表示領域75にメイン画像表示領域31Ａに対応するサムネイル画像が表示されるまで，サムネイル画像の表示制御が繰り返される（ステップ56）。
【００６６】
駒送りボタンまたは駒戻しボタンの押下に応じて，メイン画像表示領域31Ａに表示される画像が変わり，かつインデックス画像表示領域40Ａに表示されるサムネイル画像が左または右側のサムネイル画像表示領域に表示されるようになるのは上述した通りである。
【００６７】
上述した実施例においては，駒送りボタンまたは駒戻しボタンの押下に応じて，メイン画像表示領域31Ａ（30）に表示されているメイン画像が変わり，またインデックス画像表示領域40Ａ（40）に表示されるサムネイル画像が変わっているが，上述したようにジョグ・ダイアル20を利用することもできる。ジョグ・ダイアル20の回転方向に応じて，その回転角度に対応する分の駒送りまたは駒戻しが行われることとなる。ジョグ・ダイアルの回転角度に対応したサムネイル画像がサムネイル画像表示領域に表示され，かつメイン画像がメイン画像表示領域に表示されるようになる。
【図面の簡単な説明】
【００６８】
【図１】ディジタル・スチル・カメラの電気的構成を示すブロック図である。
【図２】表示画面に表示されるメイン画像表示領域とインデックス画像表示領域とを示している。
【図３】インデックス画像表示領域に表示されているサムネイル画像を示す。
【図４】再生モードの処理手順を示すフローチャートである。
【図５】表示画面に表示される画像の一例である。
【図６】表示画面に表示される画像の一例である。
【図７】表示画面に表示される画像の一例である。
【図８】表示画面に表示される画像の一例である。
【図９】表示画面に表示される画像の一例である。
【図１０】インデックス画像表示領域に表示されているサムネイル画像を示す。
【図１１】再生モードの処理手順を示すフローチャートである。
【図１２】表示画面に表示される画像の一例である。
【図１３】インデックス画像表示領域に表示されているサムネイル画像を示す。
【図１４】再生モードの処理手順を示すフローチャートである。
【図１５】表示画面に表示される画像の一例である。
【図１６】表示画面に表示される画像の一例である。
【図１７】再生モードの処理手順を示すフローチャートである。
【符号の説明】
【００６９】
９  ＣＣＤ
14  メモリ
15  表示用信号処理回路
16  液晶表示装置
18  操作スイッチ
20  ジョグ・ダイアル
21  ＣＰＵ
30  表示画面
31，31Ａ  メイン画像表示領域
40，40Ａ  インデックス画像表示領域
41〜49，71〜79  サムネイル画像表示領域
ｉ１〜ｉ９  サムネイル画像
【図１】
0004659716.tif 000002
【図２】
0004659716.tif 000003
【図３】
0004659716.tif 000004
【図４】
0004659716.tif 000005
【図５】
0004659716.tif 000006
【図６】
0004659716.tif 000007
【図７】
0004659716.tif 000008
【図８】
0004659716.tif 000009
【図９】
0004659716.tif 000010
【図１０】
0004659716.tif 000011
【図１１】
0004659716.tif 000012
【図１２】
0004659716.tif 000013
【図１３】
0004659716.tif 000014
【図１４】
0004659716.tif 000015
【図１５】
0004659716.tif 000016
【図１６】
0004659716.tif 000017
【図１７】
0004659716.tif 000018